(57)【要約】【課題】  容器壁（２）が容器底から開口まで実質的に円錐形に延びる容器を積み重ねたときに、各容器（１）の位置安定性を向上させ、それらの容器（１）が回転しないようにする。【解決手段】  容器壁（２）の内面に、軸方向に延びるスタッキングリブ（５）が周方向に所定間隔で形成され、容器底（３）の外面の半径方向外側領域に、少なくとも一つの凹み（７）を備え、容器（１）が積み重ねられたときに、直下の容器（１）の少なくとも一つのスタッキングリブが直上の容器（１）の凹部（７）に係合されるようにした。【選択図】図４【特許請求の範囲】
【請求項１】
容器壁（２）、容器底（３）及び容器開口（４）を有し、前記容器壁（２）が、前記底から前記開口まで実質的に円錐形に延び、前記容器壁（２）の内面に、周囲に沿って配置された軸方向に延びるスタッキングリブ（５）が形成された容器（１）において、
前記容器底（３）の外面の半径方向外側領域には、多数の容器（１）が互いに積み重ねられたときに、その下に積まれた容器（１）の少なくとも一つのスタッキングリブと係合されて、容器（１）同士が回転しないように所定位置に固定する少なくとも一つの凹部（１０）が形成されたことを特徴とする容器。
【請求項２】
前記容器（１）が容器の軸の周りに回転せずに所定位置に固定されるように、容器底（３）の外面には、直下に位置する容器（１）のスタッキングリブ（５）と係合される凹部（１０）が、スタッキングリブ（５）と適合する位置に形成された請求項１記載の容器。
【請求項３】
前記容器底（３）の外面の半径方向外側領域には、軸方向に突出する実質的に連続した脚（８）が形成されると共に、当該脚（８）には、その円周上の所定位置に、容器底（３）の凹部となる中断部（７）が形成された請求項１又は２記載の容器。
【請求項４】
少なくとも３つのスタッキングリブ（５）が形成された請求項１乃至３いずれか記載の容器。
【請求項５】
４つのスタッキングリブ（５）が、それぞれ最も近い隣接するスタッキングリブ（５）に対して９０°の角度に配置されて形成され、前記容器底（３）の前記凹部（１０）が同様に配置された請求項１乃至４いずれか記載の容器。
【請求項６】
前記スタッキングリブ（５）が前記容器底（３）から延びる請求項１乃至５いずれか記載の容器。
【請求項７】
前記スタッキングリブ（５）の半径方向の幅が、その領域における前記容器（１）の壁厚の１倍から３倍に形成された請求項１乃至５いずれか記載の容器。
【請求項８】
前記スタッキングリブ（５）の半径方向の幅が、その領域における前記容器（１）の壁厚の１倍から２倍に形成された請求項７に記載の容器。
【発明の詳細な説明】
【技術分野】
【０００１】
本発明は、容器壁、容器底及び容器開口を有し、容器壁が、容器底から容器開口まで実質的に円錐形に延び、容器壁の内面に、周囲に沿って配置された軸方向に延びるスタッキングリブ（ｓｔａｃｋｉｎｇ  ｒｉｂ）が設けられた容器に関する。
【背景技術】
【０００２】
容器壁の内面に位置するスタッキングリブの目的は、複数の容器を互いに積み重ねたときに、円錐形の２つの容器壁が互いに張り付くことがないように、下側のそれぞれの容器の中に上側のそれぞれの容器が支持されることを可能にすることである。スタッキングリブによって支持されるため、２つの容器壁間にわずかな隙間（ｃｌｅａｒａｎｃｅ）が残り、この隙間が、互いに積み重ねられた容器の容易な分離を可能にする。スタッキングリブによって支持された容器は、運搬用ストラップの固定装置が取り付けられた上側のそれぞれの容器の容器開口の縁領域が、下側のそれぞれの容器の容器開口の外側に位置するような態様で、互いに内側に配置される。
【０００３】
互いに積み重ねられたこの種の容器の取扱い及び運搬の際には、スタッキングリブによって支持された容器の位置が不安定になることがある。
【発明の概要】
【発明が解決しようとする課題】
【０００４】
本発明の目的は、冒頭の段落に記載された種類の容器であって、互いに積み重ねられた容器の位置の安定性を向上させる容器を提供することにある。
【課題を解決するための手段】
【０００５】
本発明によれば、この目的は、冒頭の段落で述べた種類の容器に関して、容器底の外面の半径方向外側の領域が少なくとも一つの凹部を備え、複数の容器を互いに積み重ねたときに、容器の下に位置するもう一つの容器の少なくとも一つのスタッキングリブが前記少なくとも一つの凹部と係合することができ、それにより、各容器を互いに対して回転しないようにその場に固定することができることによって解決することができる。
【０００６】
この設計の結果、この種の複数の容器を積み重ねたときに、上側のそれぞれの容器が、下側のそれぞれの容器のスタッキングリブの上に回転しないように保持される。また、互いに積み重ねられた容器を互いに対して所定の位置に配置し、保持することができる。このことは、互いに積み重ねられた容器の取扱い中又は運搬中の非常に安定した位置を保証する。
【０００７】
これらのスタッキングリブのうちの少なくとも一つのスタッキングリブの容器底からの軸方向の高さを、残りのスタッキングリブよりも大きくすることができ、この場合には、残りのスタッキングリブとの高さの差が少なくとも、容器底の外面に形成された凹部の深さに対応する。
【０００８】
本発明の好ましい一実施形態では、容器底の外面の半径方向外側領域に、軸方向に突出する実質的に連続した脚が形成され、この脚の円周上の所定位置に、容器底の凹部となる中断部を形成した。
【０００９】
容器底の下面の連続する脚の前記少なくとも一つの中断部は、少なくとも一つのスタッキングリブと係合するように容器底に形成される凹部の特に単純な製造を可能にする。
【００１０】
しかしながら、凹部（一つ又は複数）を、下面に向かって開き、好ましくはさらに半径方向外側に向かって開いた容器底の縁領域の適切な形状の部分とすることもできる。同様に、容器底に、スタッキングリブの一つ又は複数の上端、すなわち容器開口の方を向いた端部がそれらの間に係合し、容器の軸を中心に回転しないようにそれらの間に保持されるウェブ（ｗｅｂ）又は突起を配置することもできる。
【００１１】
スタッキングリブの上端と凹部の壁との間に所定の隙間が残るように、容器底の周囲方向の凹部の幅を、容器壁の円周方向のスタッキングリブの幅よりもわずかに大きくすることができる。
【００１２】
一方、スタッキングリブの上端と凹部の壁領域との間の所定の締付け効果を得るために、凹部の幅をスタッキングリブの幅よりもわずかに小さくすることもできる。この場合には、所定の締付け力に打ち勝つことによってのみ、互いに積み重ねられた容器を互いから分離することができる。
【００１３】
容器壁の内面に位置するスタッキングリブは、例えば射出成形型中での射出成形によって容器壁上に一体に成形することができ、容器を成形し、それを型から外すのに適した幾何形状に形成することができる。スタッキングリブは容器底から延びることが好ましい。
【００１４】
スタッキングリブの高さ、すなわち容器底からのスタッキングリブの長さは、互いに積み重ねられた容器の容器壁が張り付かないように、適切に決定される。容器壁間にはわずかな隙間が残り、互いに積み重ねられた容器が所定の方向に互いに整列することを可能にする。スタッキングリブのこの配置、容器底の凹部とスタッキングリブとの相互作用のため、互いに積み重ねられた容器の必要な方向を画定することができ、凹部内でのスタッキングリブの非回転係合によって、容器の取扱い又は運搬の間、この方向を維持することができる。
【００１５】
一方、スタッキングリブが同一の長さを示すこともでき、この文脈では、容器底の外面が、複数の容器を互いに積み重ねたときにそれの下に位置する容器のスタッキングリブが係合する複数の凹部を備え、この場合、少なくとも一つの凹部が、前記凹部内での少なくとも一つのスタッキングリブの係合によって、互いに対して回転しないように容器をその場に固定する。
【００１６】
具体的には、容器底の外面が、スタッキングリブとぴったり合うように周囲に沿って配置された凹部を備えることができ、それぞれのケースで、下に位置する容器のスタッキングリブが凹部と係合し、それにより、容器を、容器の軸を中心に回転しないようにその場に固定することができる。
【００１７】
互いに積み重ねられた多数の容器を支持するときの十分な安定性、及び互いに対する回転に対するこれらの容器の抵抗性を保証するため、スタッキングリブが、その領域における容器の壁厚の１倍から３倍に対応する容器壁からの半径方向の延長を示す。この半径方向の延長は、容器の縁の厚さの１倍から２倍に対応することが好ましい。
【００１８】
容器の外壁は連続するフランジ（ｆｌａｎｇｅ）を備えないことが好ましい。容器の外壁は、必要に応じて半径方向外側へ突き出た運搬用ストラップの保持領域及び容器壁に接続するための対応する領域を除いて、実質的に平滑であり且つ／又は突起を含まず、且つ／又はアンダーカットを含まないように設計されることが好ましい。
【００１９】
次に、図面に基づいて本発明の２つの実施例をより詳細に説明する。図は以下のとおりである。
【図面の簡単な説明】
【００２０】
【図１】容器の一実施例の縦断面図。
【図２】図１の領域Ａの拡大図。
【図３】蓋が外された図１に示された容器の斜視図。
【図４】図３に示された容器の斜視／破断図。
【図５】互いに積み重ねられた図１から４に基づく容器の破断図。
【図６】容器の他の実施例の容器底の下から見た拡大図。
【図７】図６のＢ−Ｂ線断面図。
【発明を実施するための形態】
【００２１】
図１から４は、容器壁２、容器底３及び容器開口４を有する容器１の一実施例を示す。容器壁２は、容器底３から容器開口４まで実質的に円錐形に延びる。容器壁２の内面には、容器壁２の周囲に沿って配置された軸方向に延びるスタッキングリブ５が形成されている。この容器はプラスチックでできており、容器の内面に一体成形されるスタッキングリブ５とともに射出成形によって製造される。スタッキングリブ５の目的は、蓋６をはめる前の複数の容器１を積み重ねたそきに、容器１の中に位置する各容器について、２つの容器１の円錐形の容器壁２が張り付かないように支持することができることである。各容器１はスタッキングリブ５によって支持されるため、容器壁２間にわずかな隙間が生じ、互いに積み重ねられた２つの容器１を互いから容易に分離することができるようになっている。
【００２２】
容器１の中に積み重ねられた容器１を、容器１に対して回転しないようにその場に固定することを可能にするため、容器底３の外面の半径方向外側の領域が凹部を備え、その下及び外側に配置された容器１のスタッキングリブ５の容器開口４の方を向いた端部がこれらの凹部と係合し、したがって容器１を、互いに対して回転しないようにその場に固定する。
【００２３】
図１から４に描かれた実施例では、これらの凹部が、容器底３の外面の半径方向外側の領域において軸方向に突き出た脚（ｆｏｏｔ）８の中断部７として設計される。特に図３及び４から分かるとおり、脚８は、容器底３の全周にわたって環状に延びる。
【００２４】
蓋６が取り付けられた複数の容器１を積み重ねたとき、脚８はまた、蓋６をした状態で互いに積み重ねられた容器１が半径方向について互いに対してその場に固定され、互いに滑動することができないように、下に位置する容器の蓋６の縁領域９の対応する軸方向のくぼみ（図１参照）と係合することができる。
【００２５】
環状の脚８の中断部７として設計されたこれらの凹部は、スタッキングリブ５とぴったり合うように容器底３の周囲に沿って配置される。この実施例では、４つのスタッキングリブ５、したがって脚８の４つの中断部７が形成され、これらは、最も近い隣接するスタッキングリブ５又は中断部７に対して９０°の角度に配置される。
【００２６】
図５は、互いに積み重ねられた図１から４に基づく２つの容器の破断図を示す。この文脈では、図中の上側の容器１の容器底３が、スタッキングリブ５の上縁に着座する。互いに積み重ねられた２つの容器１の容器壁２間に隙間が残り、これらの容器の位置が中心に置かれた場合、この隙間は内側の容器を完全に取り囲むことができる。次に説明する実施例に基づく容器を積み重ねたときにも同じことが言える。一般的に言って、このケースでも、互いに積み重ねられた容器の容器壁２間に横方向の隙間が残ることができる。スタッキングウェブも、積み重ねられた状態で容器が張り付いて動かなくなること防ぐために凹部１０の領域に横方向及び／又は半径方向の隙間があるように、凹部と係合することができる。このことはこの実施例とは無関係に当てはまり得る。
【００２７】
図６及び７は、互いに積み重ねられた容器１を回転しないようにその場に固定することができる他の実施例を示す。この場合、容器底３の半径方向外側の面が、容器底３の内部に成形された局所領域として設計された、周囲上に配置された凹部１０を示す。それぞれのケースで、積み重ねられた容器１のスタッキングリブ５の上縁が凹部１０と係合する。図６から分かるように、凹部１０は、容器底３の下面及び半径方向外側に向かって開いている。
【符号の説明】
【００２８】
１  容器
２  容器壁
３  容器底
４  容器開口
５  スタッキングリブ
６  蓋
７  中断部
８  脚
９  縁領域
１０  凹部
【図１】
2010517882.tif 000002
【図２】
2010517882.tif 000003
【図３】
2010517882.tif 000004
【図４】
2010517882.tif 000005
【図５】
2010517882.tif 000006
【図６】
2010517882.tif 000007
【図７】
2010517882.tif 000008
【国際調査報告】
2010517882.tif 000009
2010517882.tif 000010
2010517882.tif 000011
2010517882.tif 000012